(57)【要約】【課題】音声出力の条件を容易に変更することができる携帯電子機器を提供することにある。【解決手段】携帯電子機器本体と、音声データを音声として出力する音声出力手段と、携帯電子機器本体に作用する外力の大きさを検出する外力検出手段と、外力検出手段が検出した外力の大きさに基づいて、音声出力手段の音声出力を調整する音声調整手段とを有することで上記課題を解決する。【選択図】図１
2010177774.tif 000002
【特許請求の範囲】
【請求項１】
携帯電子機器本体と、
音声データを音声として出力する音声出力手段と、
前記携帯電子機器本体に作用する外力の大きさを検出する外力検出手段と、
前記外力検出手段が検出した外力の大きさに基づいて、前記音声出力手段の音声出力を調整する音声調整手段とを有することを特徴とする携帯電子機器。
【請求項２】
前記音声出力手段は、文字データから変換された音声データを前記音声として出力することを特徴とする請求項１に記載の携帯電子機器。
【請求項３】
前記外力検出手段は、外力として圧力を検出することを特徴とする請求項１または２に記載の携帯電子機器。
【請求項４】
前記外力検出手段は、前記携帯電子機器の側面に加わる外力を検出することを特徴とする請求項１から３のいずれか１項に記載の携帯電子機器。
【請求項５】
前記音声調整手段は、前記外力検出手段が検出した外力の大きさに基づいて、前記音声出力手段が出力する音声の再生速度を設定することを特徴とする請求項１から４のいずれか１項に記載の携帯電子機器。
【請求項６】
前記音声調整手段は、前記外力検出手段が検出した外力の大きさに基づいて、３つ以上の再生速度から１つの再生速度を選択することを特徴とする請求項５に記載の携帯電子機器。
【請求項７】
前記音声調整手段は、前記外力検出手段が検出した外力が大きいほど、再生速度を速く設定することを特徴とする請求項５または６に記載の携帯電子機器。
【請求項８】
前記音声調整手段は、前記外力検出手段が検出した外力が大きいほど、再生速度を遅く設定することを特徴とする請求項５または６に記載の携帯電子機器。
【請求項９】
さらに、使用者の年齢を検出する年齢検出手段を有し、
前記音声調整手段は、前記外力検出手段が検出した外力が大きいほど、再生速度を速く設定する第１設定モードと、前記外力検出手段が検出した外力が大きいほど、再生速度を遅く設定する第２設定モードとを備え、
前記音声調整手段は、前記年齢検出手段により検出した年齢に基づいて、前記第１設定モードと前記第２設定モードの一方を選択し、選択した設定モードに基づいて再生速度を設定することを特徴とする請求項５または６に記載の携帯電子機器。
【請求項１０】
前記音声調整手段は、前記外力検出手段が検出した外力の大きさが所定値よりも大きい場合は、前記音声出力手段の音声出力を停止させることを特徴とする請求項１から９のいずれか１項に記載の携帯電子機器。
【請求項１１】
携帯電子機器が出力する音声出力を調整する音声出力調整方法であって、
携帯電子機器本体に作用する外力の大きさを検出する外力検出ステップと、
前記外力検出ステップで検出した外力の大きさに基づいて、前記音声出力を調整する音声調整ステップと、
を有することを特徴とする音声出力調整方法。
【発明の詳細な説明】
【技術分野】
【０００１】
本発明は、音声を出力する音声出力部を有する携帯電子機器及び音声を再生する音声出力調整方法に関する。
【背景技術】
【０００２】
近年、携帯電話機や、携帯辞書、ＰＤＡ（Personal Digital Assistant）等の携帯電子機器には、種々の機能を有しており、その中の１つの機能として、音声テキストを読み上げる読み上げ機能がある。
【０００３】
例えば、特許文献１には、メールの文字情報を表示する液晶ディスプレイと、メールの文字情報を一時的に保存するメール保存手段と、メールの文字情報の音声読み上げを指令する音声読み上げキーと、音声読み上げキーの押下に応じてメールの文字情報を音声コードデータに変換する文字音声化手段と、文字音声化手段から受け取った音声コードデータを音声として発声するスピーカと、メール保存手段から受け取ったメールの文字情報を液晶ディスプレイに表示する際の制御を行うための表示コントローラを有する携帯電話が記載されている。また、文字音声化手段は、ユーザの操作に応じて読み上げる速度を変化させる、つまり、速くしたり遅くしたりすることも記載されている。
【先行技術文献】
【特許文献】
【０００４】
【特許文献１】特開２００１−３５０６９２号公報
【発明の概要】
【発明が解決しようとする課題】
【０００５】
特許文献１に記載の携帯電話のように音声テキスト（文字データ）を読み上げることで、ユーザの負担を軽くすることができる。また、読み上げる速度を速くすることで、読み飛ばしたい箇所や既読箇所を早送りすることができ、遅くすることで聞き難い箇所をゆっくりと聞くことができる。また、特許文献１には、音声出力の調整として、再生速度を調整することが記載されているが、調整する対象の音声出力のパラメータ（条件）としては、音声の大きさ等もある。
【０００６】
ところで、このような音声出力の調整の制御は、例えば、読み上げ元となる音声テキストを画面上に表示させつつ行われる。この場合、操作部に備えられている十字キーは、画面のスクロールに割り当てられているため、読み上げ速度を設定するために十字キーの上下キーを用いることができない。このように、音声出力の調整の制御（この場合、音声読み上げ制御）は、他の動作と同時に使用される。そのため、操作部のキーは、他の動作を制御することに割り当てられてしまい、音声出力の調整のみの制御に対して通常の操作部のキーを割り当て、簡単な操作で音声出力の調整のみを制御することは困難である。
【０００７】
本発明は、上記に鑑みてなされたものであって、音声出力を容易に変更することができる携帯電子機器及び音声出力調整方法を提供することを目的とする。
【課題を解決するための手段】
【０００８】
上述した課題を解決し、目的を達成するために、本発明は、携帯電子機器本体と、音声データを音声として出力する音声出力手段と、前記携帯電子機器本体に作用する外力の大きさを検出する外力検出手段と、前記外力検出手段が検出した外力の大きさに基づいて、前記音声出力手段の音声出力を調整する音声調整手段とを有することを特徴とする。
【０００９】
ここで、前記音声出力手段は、文字データから変換された音声データを前記音声として出力することが好ましい。
【００１０】
また、前記外力検出手段は、外力として圧力を検出することが好ましい。
【００１１】
また、前記外力検出手段は、前記携帯電子機器の側面に加わる外力を検出することが好ましい。
【００１２】
また、前記音声調整手段は、前記外力検出手段が検出した外力の大きさに基づいて、前記音声出力手段が出力する音声の再生速度を設定することが好ましい。
【００１３】
また、前記音声調整手段は、前記外力検出手段が検出した外力の大きさに基づいて、３つ以上の再生速度から１つの再生速度を選択することが好ましい。
【００１４】
また、前記音声調整手段は、前記外力検出手段が検出した外力が大きいほど、再生速度を速く設定することが好ましい。
【００１５】
また、前記音声調整手段は、前記外力検出手段が検出した外力が大きいほど、再生速度を遅く設定することが好ましい。
【００１６】
さらに、使用者の年齢を検出する年齢検出手段を有し、前記音声調整手段は、前記外力検出手段が検出した外力が大きいほど、再生速度を速く設定する第１設定モードと、前記外力検出手段が検出した外力が大きいほど、再生速度を遅く設定する第２設定モードとを備え、前記音声調整手段は、前記年齢検出手段により検出した年齢に基づいて、前記第１設定モードと前記第２設定モードの一方を選択し、選択した設定モードに基づいて再生速度を設定することが好ましい。
【００１７】
また、前記音声調整手段は、前記外力検出手段が検出した外力の大きさが所定値よりも大きい場合は、前記音声出力手段の音声出力を停止させることが好ましい。
【００１８】
上述した課題を解決し、目的を達成するために、本発明は、携帯電子機器が出力する音声出力を調整する音声出力調整方法であって、携帯電子機器本体に作用する外力の大きさを検出する外力検出ステップと、前記外力検出ステップで検出した外力の大きさに基づいて、前記音声出力を調整する音声調整ステップと、を有することを特徴とする。
【発明の効果】
【００１９】
本発明にかかる携帯電子機器および音声出力調整方法は、検出した圧力に応じて再生速度を設定することで、音声出力に関する条件（パラメータ）を容易に変更することができるという効果を奏する。
【図面の簡単な説明】
【００２０】
【図１】図１は、本発明の携帯電子機器の一実施形態の概略構成を示す正面図である。
【図２】図２は、図１に示す携帯電子機器の側面図である。
【図３】図３は、図１に示す携帯電子機器の機能の概略構成を示すブロック図である。
【図４】図４は、携帯電子機器の処理動作の一例を示すフロー図である。
【図５】図５は、音声出力条件の設定基準の一例を説明するための説明図である。
【図６】図６は、音声出力条件の設定方法の一例を示すフロー図である。
【図７】図７は、音声出力条件の設定基準の一例を説明するための説明図である。
【図８】図８は、音声出力条件の設定方法の一例を示すフロー図である。
【図９】図９は、年齢を設定する方法の一例を示すフロー図である。
【図１０】図１０は、年齢を設定する画面の一例を示す模式図である。
【図１１】図１１は、年齢を設定する方法の他の一例を示すフロー図である。
【発明を実施するための形態】
【００２１】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器として携帯電話機を例として説明するが、本発明の適用対象は携帯電話機に限定されるものではなく、例えば、ＰＨＳ（Personal Handyphone System）、ＰＤＡ、ポータブルナビゲーション装置、ノートパソコン、ゲーム機等に対しても本発明は適用できる。
【００２２】
図１は、本発明の携帯電子機器の一実施形態の概略構成を示す正面図である。また、図２は、図１に示す携帯電子機器の側面図である。まず、携帯電子機器の構成を説明する。携帯電子機器１０は、無線通信機能を備えた携帯電話機である。携帯電子機器１０は、筐体１Ｃが第１筐体１ＣＡと第２筐体１ＣＢとで開閉可能に構成された、折り畳み式の携帯電話機である。図１、図２は、携帯電子機器１０を開いた状態である。
【００２３】
第１筐体１ＣＡには、表示部として、図１に示すメインディスプレイ２Ｍが設けられる。メインディスプレイ２Ｍは、所定の画像として、携帯電子機器１０が受信を待機している状態のときに待ち受け画像を表示したり、携帯電子機器１０の操作を補助するために用いられるメニュー画像を表示したりする。また、第１筐体１ＣＡには、携帯電子機器１０の通話時に音声を発するスピーカ６が設けられる。
【００２４】
第２筐体１ＣＢには、通話相手の電話番号や、メール作成時等に文字を入力するための操作キー３が複数設けられ、また、メインディスプレイ２Ｍに表示されるメニューの選択及び決定や画面のスクロール等を容易に実行するための方向及び決定キー４が設けられる。第２筐体１ＣＢにはアンテナ７が設けられており、携帯電子機器１０と基地局との間における送受信に用いられる。なお、操作キー３及び方向及び決定キー４は、携帯電子機器１０の操作部を構成する。
【００２５】
図２に示すように、本実施形態において、第２筐体１ＣＢの一つの側部（操作キー３や方向及び決定キー４が設けられる面と略直交する面のうちの一つ）には、通信用端子８が設けられる。通信用端子８は、第２筐体１ＣＢ内に設けられるメモリに第２筐体１ＣＢの外部から情報を保存したり、前記メモリに保存される情報を第２筐体１ＣＢの外部へ取り出したりする際に用いられる。前記メモリに保存される情報は、例えば、携帯電子機器１０の制御に用いるソフトウェアや画像データ、あるいは音声データ等である。また、第２筐体１ＣＢには、携帯電子機器１０の通話時に音声を受け取るマイク５が設けられる。
【００２６】
また、第２筐体１ＣＢの２つの側面（通信用端子８が設けられている面とその面の反対側の面）には、圧力センサ３４ａ、３４ｂが設けられている。圧力センサ３４ａ、３４ｂについては、後ほど説明する。
【００２７】
第１筐体１ＣＡと第２筐体１ＣＢとは、ヒンジ９で連結されている。これによって、第１筐体１ＣＡ及び第２筐体１ＣＢは、ヒンジ９を中心としてともに回動して、互いに遠ざかる方向及び互いに接近する方向（図２の矢印Ｒで示す方向）に回動できるように構成される。第１筐体１ＣＡと第２筐体１ＣＢとが互いに遠ざかる方向に回動すると携帯電子機器１が開き、第１筐体１ＣＡと第２筐体１ＣＢとが互いに接近する方向に回動すると携帯電子機器１０が閉じる。
【００２８】
図３は、図１に示す携帯電子機器の機能の概略構成を示すブロック図である。図３に示すように携帯電子機器１０は、ＣＰＵ（Central Processing Unit）２２と、メモリ２４と、通信部２６と、操作部２８と、音声処理部３０と、表示部３２と、圧力センサ３４ａ、３４ｂと、を有する。
【００２９】
ＣＰＵ２２は、携帯電子機器１０の全体的な動作を統括的に制御する処理部である。すなわち、携帯電子機器１０の各種の処理が、操作部２８の操作や携帯電子機器１０のメモリ２４に保存されるソフトウェアに応じて適切な手順で実行されるように、通信部２６や、音声処理部３０や、表示部３２等の動作を制御する。携帯電子機器１０の各種の処理としては、例えば、回線交換網を介して行われる音声通話、電子メールの作成及び送受信、インターネットのＷｅｂ（World Wide Web）サイトの閲覧等がある。また、通信部２６、音声処理部３０、表示部３２等の動作としては、例えば、通信部２６による信号の送受信、音声処理部３０による音声の入出力、表示部３２による画像の表示等がある。
【００３０】
ＣＰＵ２２は、メモリ２４に保存されているプログラム（例えば、オペレーティングシステムプログラム、アプリケーションプログラム等）に基づいて処理を実行する。ＣＰＵ２２は、例えば、マイクロプロセッサユニット（ＭＰＵ：Micro Processor Unit）で構成され、前記ソフトウェアで指示された手順にしたがって上述した携帯電子機器１０の各種の処理を実行する。すなわち、ＣＰＵ２２は、メモリ２４に保存されるオペレーティングシステムプログラムやアプリケーションプログラム等から命令コードを順次読み込んで処理を実行する。
【００３１】
ＣＰＵ２２は、複数のアプリケーションプログラムを実行する機能を有する。ＣＰＵ２２が実行するアプリケーションプログラムとしては、例えば、圧力センサ３４ａ、３４ｂの検出値から第２筐体１ＣＢ（つまり、携帯電子機器本体）に作用している圧力値を検出する圧力検出アプリケーションプログラムや、音声出力の条件を設定する音声出力条件設定アプリケーションプログラムや、音声データ（音声コードデータ）を生成する音声データ生成アプリケーションプログラムや、各種ゲームを作動させるゲームアプリケーションプログラム等の複数のアプリケーションプログラムがある。
【００３２】
メモリ２４には、ＣＰＵ２２での処理に利用されるソフトウェアやデータが保存されており、上述した、圧力検出アプリケーションプログラムを作動させる圧力検出タスク４０や、音声出力条件設定アプリケーションプログラムを作動させる音声出力条件設定タスク４２や、音声データ生成アプリケーションプログラムを作動させる音声データ生成タスク４４が保存されている。圧力検出タスク４０、音声出力条件設定タスク４２、音声データ生成タスク４４について、後ほど詳述する。
【００３３】
また、メモリ２４には、これらのタスク以外にも、例えば、通信、ダウンロードされた音声データ、あるいはメモリ２４に対する制御にＣＰＵ２２が用いるソフトウェア、通信相手の電話番号やメールアドレス等を保存し、管理するアドレス帳、発信音や着信音等の音声ファイル、ソフトウェアの処理過程で用いられる一時的なデータ等が保存されている。なお、ソフトウェアの処理過程で用いられるコンピュータプログラムや一時的なデータは、ＣＰＵ２２によってメモリ２４に割り当てられた作業領域へ一時的に保存される。メモリ２４は、例えば、不揮発性の記憶デバイス（ＲＯＭ：Read Only Memory等の不揮発性半導体メモリ、ハードディスク装置等）や、読み書き可能な記憶デバイス（例えば、ＳＲＡＭ：Static Random Access Memory、ＤＲＡＭ：Dynamic Random Access Memory）等で構成される。
【００３４】
通信部２６は、アンテナ７を有し、基地局によって割り当てられるチャネルを介し、基地局との間でＣＤＭＡ方式などによる無線信号回線を確立し、基地局との間で電話通信及び情報通信を行う。
【００３５】
操作部２８は、例えば、電源キー、通話キー、数字キー、文字キー、方向キー、決定キー、発信キーなど、各種の機能が割り当てられた操作キー３と、方向及び決定キー４とで構成され、これらのキーがユーザの操作により入力されると、その操作内容に対応する信号を発生させる。そして、発生した信号は、ユーザの指示としてＣＰＵ２２へ入力される。
【００３６】
音声処理部３０は、マイク５に入力される音声信号やスピーカ６から出力される音声信号の処理を実行する。すなわち、音声処理部３０は、マイク５から入力される音声を増幅し、ＡＤ変換（Analog Digital変換）を実行した後さらに符号化等の信号処理を施して、ディジタルの音声データに変換してＣＰＵ２２へ出力する。また、ＣＰＵ２２から送られる音声データに対して復号化、ＤＡ変換（Digital Analog変換）、増幅等の処理を施してアナログの音声信号に変換してから、スピーカ６へ出力する。
【００３７】
表示部３２は、液晶ディスプレイ（ＬＣＤ、Liquid Crystal Monitor）や、有機ＥＬ（Organic  Electro−Luminescence）パネルなどで構成された表示パネル（上述したメインディスプレイ２Ｍ等）を備え、ＣＰＵ２２から供給される映像データに応じた映像、画像データに応じた画像を表示パネルに表示させる。なお、表示部３２は、メインディスプレイ２Ｍに加え、例えば、筐体を閉じた状態でも外部に露出している位置にサブディスプレイを設けてもよい。
【００３８】
圧力センサ３４ａ及び圧力センサ３４ｂは、圧力を検出するセンサであり、上述したように筐体１ＣＢの側面の互いに対向する位置に設けられている。圧力センサ３４ａ及び圧力センサ３４ｂは、圧力センサ３４ａ及び３４ｂが設けられている面に直交する方向、つまり、圧力センサ３４ａと圧力センサ３４ｂとを近づける方向に加えられた圧力を検出値として検出する。ここで、圧力センサとしては、例えば、半導体ダイヤフラム型、静電容量型、弾性体ダイヤフラム型、圧電型、振動型等種々の方式の圧力センサを用いることができる。
【００３９】
次に、図４を用いて携帯電子機器１０の動作、具体的には、圧力検出アプリケーションプログラム、音声出力条件設定アプリケーションプログラム、及び、音声データ生成アプリケーションプログラム（主に音声出力条件設定アプリケーションプログラム）の動作について説明する。ここで、図４は、携帯電子機器の処理動作の一例を示すフロー図である。また、図５は、音声出力条件の設定基準の一例を説明するための説明図である。なお、本実施形態では、音声データ生成アプリケーションプログラムが、文字データから音声データを生成し、文字データを音声データとして出力する場合、つまり、文字データを読み上げる場合として説明する。
【００４０】
まず、携帯電子機器１０のＣＰＵ２２は、ステップＳ１２として、音声出力条件設定アプリケーションプログラム（以下「出力設定設定アプリ」ともいう。）を立ち上げる。具体的には、ＣＰＵ２２は、メモリ２４から音声出力条件設定タスク４０を読み出し（デコードし）、出力設定アプリを起動させる。ここで、出力設定アプリを起動させるタイミングとしては、携帯電子機器１０の初期起動時や、音声データ生成アプリケーションプログラム（以下「音声生成アプリ」ともいう。）を起動させた時、また、ユーザの操作により再生速度の設定開始の指示が入力された時等である。以下、ＣＰＵ２２は、使用しているアプリを示す場合を除いて、基本的に出力設定アプリを作動させて処理を行っている。
【００４１】
ＣＰＵ２２は、出力設定アプリを立ち上げたら、ステップＳ１４として、消音設定になっているかを判定する。ここで、消音設定とは、スピーカ６から音声を出力させない設定である、いわゆるマナーモードやサイレントモードに設定されている場合である。ＣＰＵ２２は、消音設定になっている（Ｙｅｓ）と判定したらステップＳ１６に進み、消音設定になっていない（Ｎｏ）と判定したらステップＳ２０に進む。
【００４２】
ＣＰＵ２２は、ステップＳ１４で、消音設定になっていると判定したら、ステップＳ１６として消音設定を解除するかをユーザに問い合わせる画面を表示部３２に表示し、ステップＳ１８に進む。ここで、ステップＳ１６の問い合わせ画面としては、消音設定を解除するかを問い合わるメッセージと解除するか否かを選択させる入力ボタンとを表示させる。入力ボタンとしては、例えば「はい」ボタンと「いいえ」ボタンとを表示させる方法がある。入力ボタンを表示させ、ユーザにより方向キーと決定キーとを操作させて、２つのボタンのうち１つのボタンを選択させる。
【００４３】
次に、ＣＰＵ２２は、ステップＳ１８として、入力された指示は消音設定を解除する指示かを判定する。なお、ＣＰＵ２２は、ステップＳ１６の画面を表示させた後、ユーザからの指示が入力されたらステップＳ１８を実行する。ＣＰＵ２２は、ステップＳ１８で、解除する指示が入力された（Ｙｅｓ）と判定したらステップＳ２０に進み、解除する指示が入力されていない、つまり、消音設定を維持する指示が入力されている（Ｎｏ）と判定したらステップＳ２８に進む。
【００４４】
次に、ＣＰＵ２２は、ステップＳ２０として、圧力検出アプリケーションプログラム（以下「圧力検出アプリ」ともいう。）により算出した圧力値を検出する。ここで、圧力検出アプリは、ＣＰＵ２２がメモリ２４の圧力検出アプリ４０を読み出すことで起動される。ＣＰＵ２２は、圧力検出アプリにより、圧力センサ３４ａ及び圧力センサ３４ｂで検出された検出値を取得し、取得した検出値に基づいて筐体１ＣＢに加えられた圧力値を算出する。ここで、筐体１ＣＢに加えられた圧力値は、ユーザが圧力センサ３４ａ、３４ｂ部分を持って携帯電子機器１０を保持している際に、携帯電子機器１０を握る圧力であり、ユーザが握る力を変化させることで、検出する圧力値は変化する。また、ここで、圧力値の算出方法は特に限定されず、圧力センサ３４ａ及び圧力センサ３４ｂで検出された検出値を合算させた値を圧力値としてもよく、平均値を圧力値としてもよい。
【００４５】
ＣＰＵ２２は、ステップＳ２０で圧力値を検出したら、ステップＳ２２として年齢情報を取得する。ここで、年齢情報とは、携帯電子機器１０を利用しているユーザの年齢の情報である。ＣＰＵ２２は、予め入力されメモリ２４に記憶されている年齢情報を読み出すことで、年齢情報を取得する。また、ＣＰＵ２２は、ステップＳ２２の段階で年齢情報の入力画面を表示させ、ユーザに入力させることで取得してもよい。なお、年齢情報の取得方法は、後ほど説明する。
【００４６】
ＣＰＵ２２は、ステップＳ２２で年齢情報を取得したら、ステップＳ２４として、年齢情報に対応した音声出力条件（本実施形態では、基本的に音声の再生速度）の設定パターンを取得する。なお、ＣＰＵ２２は、複数の設定パターンの中から年齢情報に基づいて１つの設定パターンを取得する。ここで、音声出力条件のパターンとは、圧力値と音声出力条件との対応関係のパターンであり、圧力値のレンジ毎に、音声再生条件が設定されている。設定パターンとしては、例えば、図５に示すように、圧力値が普通の場合は、レンジ１として、再生速度（読み上げスピード）を普通、つまり通常速度とする設定とし、圧力値がやや強い場合は、レンジ２として、再生速度を通常速度よりも２０％遅くする設定とし、圧力値が強い場合は、レンジ３として、再生速度を通常速度よりも４０％遅くする設定とし、圧力値がかなり強い場合は、レンジ４として、再生速度を通常速度よりも８０％遅くする設定とし、圧力値が強力な場合は、レンジ５として、消音設定とする設定とする。ここで、圧力値は、普通から、やや強い、強い、かなり強い、強力となるに従って、高い圧力値になる。つまり、圧力値の大小関係は、普通＜やや強い＜強い＜かなり強い＜強力となる。また、レンジ１の圧力の下限値と、レンジ５の圧力の上限値は設定されていない。つまり、レンジ１とレンジ２との境界となる圧力よりも小さい圧力は、レンジ１となり、レンジ４とレンジ５との境界となる圧力よりも大きい圧力は、レンジ５となる。また、それぞれのレンジとなる圧力値には、所定の数値の幅が設定されている。なお、図５に示す設定パターンは、高齢者向けの設定パターンの一例である。
【００４７】
ＣＰＵ２２は、ステップＳ２４で音声出力条件の設定パターンを取得したら、ステップＳ２６として、ステップＳ２４で取得した設定パターンとステップＳ２０で検出した圧力値に基づいて、音声出力条件（基本的に、再生速度）を設定する。つまり、設定パターンにおいて、検出した圧力値が含まれるレンジを特定し、再生速度を特定したレンジに対応する再生速度に設定する、または消音設定にする。例えば、ステップＳ２０で検出した圧力値がレンジ３に含まれる圧力値である場合は、再生速度を４０％遅くする設定とする。なお、再生速度の設定方法については後ほど詳細に説明する。また、ＣＰＵ２２は、出力設定アプリで設定した再生速度に基づいて、音声生成アプリで音声データを作成する際の再生速度を設定する。つまり、ＣＰＵ２２は、再生速度が出力設定アプリで設定した再生速度となるように、音声生成アプリで音声データを生成するように設定を行う。
【００４８】
次に、ＣＰＵ２２は、ステップＳ２８として、読み上げ中かを判定する。つまり、音声生成アプリにより文字データから音声データを生成し、生成した音声データを音声として音声処理部３０を介してスピーカ６から出力させている状態であるか、つまり音声出力中であるかを判定する。ＣＰＵ２２は、ステップＳ２８で読み上げ中と判定したらステップＳ３０に進み、読み上げ中でないと判定したらステップＳ３２に進む。
【００４９】
ＣＰＵ２２は、ステップＳ２８で読み上げ中である（Ｙｅｓ）と判定したら、ステップＳ３０として、圧力値が変化したかを判定する。具体的には、ＣＰＵ２２は、圧力検出アプリで検出される圧力値が、現状設定している圧力値のレンジとは異なるレンジとなったかを判定する。ＣＰＵ２２は、ステップＳ３０で圧力値が変化した（Ｙｅｓ）と判定したらステップＳ１４に進み、圧力値が変化していない（Ｎｏ）と判定したらステップＳ２８に進む。したがって、ＣＰＵ２２は、読み上げ中、圧力値のレンジが変化しなかった場合は、ステップＳ２８とステップＳ３０とを繰り返す。また、圧力値が変化した場合とは、例えば、圧力値が、レンジ３の圧力値からレンジ２、レンジ１の圧力値になった場合であり、圧力値が変化していない場合とは、圧力値がレンジ３のままの状態である場合である。
【００５０】
また、ＣＰＵ２２は、ステップＳ２８で読み上げ中でない（Ｎｏ）と判定したら、ステップＳ３２として、音声出力条件を設定するかの問い合わせ画面を表示させる。ここで、読み上げ中でない場合とは、音声生成アプリによる音声データの生成が終了し、読み上げが終了している場合や、待ち受け状態の場合、初期設定として音声出力条件を設定している場合である。また、ＣＰＵ２２は、音声出力条件を設定するかの問い合わせ画面に、設定を行うか否かの指示を入力させるための指示画面も合わせて表示させる。
【００５１】
次に、ＣＰＵ２２は、ステップＳ３２で問い合わせ画面を表示させたら、ステップＳ３４として、音声出力条件を設定する指示が入力されたかを判定する。ＣＰＵ２２は、ステップＳ３４で、音声出力条件を設定する指示が入力されている（Ｙｅｓ）と判定したらステップＳ１４に進み、音声出力条件の設定を繰り返す。
【００５２】
また、ＣＰＵ２２は、ステップＳ３４で音声出力条件を設定する指示が入力されていない（Ｎｏ）と判定したら、ステップＳ３６として、出力設定アプリを終了させ、処理を終了する。
【００５３】
このように、携帯電子機器１０は、圧力センサ３４ａ、３４ｂが検出した検出値から算出した圧力値に基づいて、音声出力条件、具体的には、再生速度及び消音にするかを設定することができる。これにより、ユーザは、携帯電子機器１０を握る力（つまり、センサを押す力）を変化させるだけで、音声の再生速度を変更することができ、さらに、消音することもできる。また、握る力を変化させるだけであるため、携帯電子機器１０の操作部２８のキー操作を行わずに、携帯電子機器１０を保持している状態で再生速度を変更することができる。これにより、スピーカ６を耳に当てた状態のまま、表示部３２の表示を確認せずに再生速度を変更することもできる。以上より、携帯電子機器１０は、簡単かつ容易な操作で音声の再生速度を変更することができる。また、簡単かつ容易な操作で音声の出力を停止することもできる。
【００５４】
また、携帯電子機器１０は、複雑な操作をすることなく、握るという動作のみで圧力値の大きさにより再生速度を多段階に変更できる。これにより、ユーザは簡単な操作で所望の再生速度に変更することができる。さらに、握るという動作のみで再生速度を変更できることで、目視で画面が確認できないユーザであっても、再生速度を容易に変更できる。
【００５５】
ここで、図６を用いて、ステップＳ２０で検出した圧力値と、ステップＳ２４で取得した設定パターンに基づいて音声出力条件を設定するステップＳ２６での処理をより詳細に説明する。ここで、図６は、音声出力条件の設定方法の一例を示すフロー図である。また、図６に示すフロー図は、図５に示す設定パターンを取得した場合の動作を示すフロー図である。
【００５６】
まず、ＣＰＵ２２は、ステップＳ５０として、取得した圧力値がレンジ１であるかを判定する。つまり、ＣＰＵ２２は、圧力値がレンジ１に含まれる圧力値であるかを判定する。ＣＰＵ２２は、ステップＳ５０で、圧力値のレンジが１である（Ｙｅｓ）と判定したら、ステップＳ５２として、読み上げスピードを通常速度に設定し、ステップＳ５４に進む。他方、ＣＰＵ２２は、ステップＳ５０で、圧力値のレンジが１ではない（Ｎｏ）と判定したら、ステップＳ５４に進む。
【００５７】
次に、ＣＰＵ２２は、ステップＳ５４として、取得した圧力値がレンジ２であるかを判定する。つまり、ＣＰＵ２２は、圧力値がレンジ２に含まれる圧力値であるかを判定する。ＣＰＵ２２は、ステップＳ５４で、圧力値のレンジが２である（Ｙｅｓ）と判定したら、ステップＳ５６として、読み上げスピードを通常速度から２０％遅い速度に設定し、ステップＳ５８に進む。他方、ＣＰＵ２２は、ステップＳ５４で、圧力値のレンジが２ではない（Ｎｏ）と判定したら、ステップＳ５８に進む。
【００５８】
次に、ＣＰＵ２２は、ステップＳ５８として、取得した圧力値がレンジ３であるかを判定する。つまり、ＣＰＵ２２は、圧力値がレンジ３に含まれる圧力値であるかを判定する。ＣＰＵ２２は、ステップＳ５８で、圧力値のレンジが３である（Ｙｅｓ）と判定したら、ステップＳ６０として、読み上げスピードを通常速度から４０％遅い速度に設定し、ステップＳ６２に進む。他方、ＣＰＵ２２は、ステップＳ５８で、圧力値のレンジが３ではない（Ｎｏ）と判定したら、ステップＳ６２に進む。
【００５９】
次に、ＣＰＵ２２は、ステップＳ６２として、取得した圧力値がレンジ４であるかを判定する。つまり、ＣＰＵ２２は、圧力値がレンジ４に含まれる圧力値であるかを判定する。ＣＰＵ２２は、ステップＳ６２で、圧力値のレンジが４である（Ｙｅｓ）と判定したら、ステップＳ６４として、読み上げスピードを通常速度から８０％遅い速度に設定し、ステップＳ６６に進む。他方、ＣＰＵ２２は、ステップＳ６２で、圧力値のレンジが４ではない（Ｎｏ）と判定したら、ステップＳ６６に進む。
【００６０】
次に、ＣＰＵ２２は、ステップＳ６６として、取得した圧力値がレンジ５であるかを判定する。つまり、ＣＰＵ２２は、圧力値がレンジ５に含まれる圧力値であるかを判定する。ＣＰＵ２２は、ステップＳ６６で、圧力値のレンジが５である（Ｙｅｓ）と判定したら、ステップＳ６８として、音声の出力を停止させ、つまり、ボリュームを０にして、処理を終了する。なお、この場合再生速度の設定はどの速度となるようにしてもよく、前回の設定のままの再生速度とする設定とすることも、予め設定した再生速度となるように設定することもできる。他方、ＣＰＵ２２は、ステップＳ６６で、圧力値のレンジが５ではない（Ｎｏ）と判定したら、処理を終了する。なお、図６に示すフロー図では、ステップＳ６６、ステップＳ６８の処理が終了したら、処理を終了するとしたが、実際の処理では、各処理の後、図５に示すフロー図のステップＳ２８に進む。
【００６１】
また、圧力値は、レンジ１から５のうちいずれか１つであるため、ＣＰＵ２２は、ステップＳ５２、ステップＳ５６、ステップＳ６０、ステップＳ６４、ステップＳ６８のうちいずれか１つの処理のみを行う。ＣＰＵ２２は、以上のように処理を行うことで、再生速度を設定するか、消音になるように設定する。
【００６２】
図５及び図６に示すように、圧力値が大きくなるに従って再生速度が遅くなるようにすることで、例えば高齢者、耳が聞こえにくい人等、音声をゆっくり再生させたい人が所望の速度で音声を聞くことができる。また、携帯電子機器１０は、圧力値によって、消音設定への変更も可能とすることで、瞬時的に音声の出力を停止する必要がある場合もすぐに音声の出力を停止することができる。
【００６３】
また、図５及び図６に示す例では、設定パターンとして、圧力値が大きくなるに従って再生速度が遅くなるようにする場合を説明したが、本発明はこれに限定されない。以下、図７及び図８を用いて、他の設定パターンを説明する。ここで、図７は、音声出力条件の設定基準の一例を説明するための説明図であり、図８は、音声出力条件の設定方法の一例を示すフロー図である。なお、図７及び図８に示す例は、圧力値が大きくなるに従って再生速度が速くなるようにする場合の例であり、例えば若者やせっかちな人むけの設定である。
【００６４】
ここで、図７に示す設定パターンは、圧力値が普通の場合は、レンジ１として、再生速度（読み上げスピード）を普通、つまり通常速度とする設定とし、圧力値がやや強い場合は、レンジ２として、再生速度を通常速度よりも２０％速くする設定とし、圧力値が強い場合は、レンジ３として、再生速度を通常速度よりも４０％速くする設定とし、圧力値がかなり強い場合は、レンジ４として、再生速度を通常速度よりも８０％速くする設定とし、圧力値が強力な場合は、レンジ５として、消音設定とする設定とする。なお、圧力値のレンジの設定方法は、上述した場合と同様である。また、若者は、高齢者に比べ、力が強いため、図５に示した設定パターンの場合よりもレンジを全体的に高い圧力で設定するようにしてもよい。
【００６５】
次に、図８を用いて、図７に示す設定パターンを取得した場合のステップＳ２０で検出した圧力値と、ステップＳ２４で取得した設定パターンに基づいて再生速度を設定するステップＳ２６での処理をより詳細に説明する。
【００６６】
まず、ＣＰＵ２２は、ステップＳ７０として、取得した圧力値がレンジ１であるかを判定する。つまり、ＣＰＵ２２は、圧力値がレンジ１に含まれる圧力値であるかを判定する。ＣＰＵ２２は、ステップＳ７０で、圧力値のレンジが１である（Ｙｅｓ）と判定したら、ステップＳ７２として、読み上げスピードを通常速度に設定し、ステップＳ７４に進む。他方、ＣＰＵ２２は、ステップＳ７０で、圧力値のレンジが１ではない（Ｎｏ）と判定したら、ステップＳ７４に進む。
【００６７】
次に、ＣＰＵ２２は、ステップＳ７４として、取得した圧力値がレンジ２であるかを判定する。つまり、ＣＰＵ２２は、圧力値がレンジ２に含まれる圧力値であるかを判定する。ＣＰＵ２２は、ステップＳ７４で、圧力値のレンジが２である（Ｙｅｓ）と判定したら、ステップＳ７６として、読み上げスピードを通常速度から２０％速い速度に設定し、ステップＳ７８に進む。他方、ＣＰＵ２２は、ステップＳ７４で、圧力値のレンジが２ではない（Ｎｏ）と判定したら、ステップＳ７８に進む。
【００６８】
次に、ＣＰＵ２２は、ステップＳ７８として、取得した圧力値がレンジ３であるかを判定する。つまり、ＣＰＵ２２は、圧力値がレンジ３に含まれる圧力値であるかを判定する。ＣＰＵ２２は、ステップＳ７８で、圧力値のレンジが３である（Ｙｅｓ）と判定したら、ステップＳ８０として、読み上げスピードを通常速度から４０％速い速度に設定し、ステップＳ８２に進む。他方、ＣＰＵ２２は、ステップＳ７８で、圧力値のレンジが３ではない（Ｎｏ）と判定したら、ステップＳ８２に進む。
【００６９】
次に、ＣＰＵ２２は、ステップＳ８２として、取得した圧力値がレンジ４であるかを判定する。つまり、ＣＰＵ２２は、圧力値がレンジ４に含まれる圧力値であるかを判定する。ＣＰＵ２２は、ステップＳ８２で、圧力値のレンジが４である（Ｙｅｓ）と判定したら、ステップＳ８４として、読み上げスピードを通常速度から８０％速い速度に設定し、ステップＳ８６に進む。他方、ＣＰＵ２２は、ステップＳ８２で、圧力値のレンジが４ではない（Ｎｏ）と判定したら、ステップＳ８６に進む。
【００７０】
次に、ＣＰＵ２２は、ステップＳ８６として、取得した圧力値がレンジ５であるかを判定する。つまり、ＣＰＵ２２は、圧力値がレンジ５に含まれる圧力値であるかを判定する。ＣＰＵ２２は、ステップＳ８６で、圧力値のレンジが５である（Ｙｅｓ）と判定したら、ステップＳ８８として、音声の出力を停止させ、つまり、ボリュームを０にして、処理を終了する。なお、この場合再生速度の設定はどの速度となるようにしてもよく、前回の設定のままの再生速度とする設定とすることも、予め設定した再生速度となるように設定することもできる。他方、ＣＰＵ２２は、ステップＳ８６で、圧力値のレンジが５ではない（Ｎｏ）と判定したら、処理を終了する。なお、図８に示すフロー図でも、ステップＳ８６、ステップＳ８８の処理が終了したら、処理を終了するとしたが、実際の処理では、各処理の後、図５に示すフロー図のステップＳ２８に進む。
【００７１】
図７及び図８に示すように、圧力値が大きくなるに従って再生速度が速くなるようにすることで、例えば高齢者、若者やせっかちな人等、音声を早く再生させたい人が所望の速度で音声を聞くことができる。
【００７２】
また、図５及び図６に示す例では再生速度を遅くなる方向のみに変化させ、図７及び図８に示す例では再生速度を速くなる方向のみに変化させたが、本発明はこれに限定されず、圧力値によって速くなる方向、遅くなる方向の両方に再生速度が変化する設定パターンとしてもよい。例えば、図５及び図７に示すレンジを例にすると、レンジ１では再生速度を通常速度よりも４０％遅い速度とし、レンジ２では再生速度を通常速度よりも２０％遅い速度とし、レンジ３では再生速度を通常速度とし、レンジ４では再生速度を通常速度よりも２０％速い速度とし、レンジ５では再生速度を通常速度よりも４０％速い速度とするような設定パターンとしてもよい。
【００７３】
また、上記実施形態では、圧力値が普通の状態から圧力が高くなる方向に変化した場合にレンジを設定したが、圧力値が普通の状態から圧力が低くなる方向に変化した場合にレンジを設定してもよい。
【００７４】
また、普通の圧力値、つまり基準とする圧力値は、予め決まった設定としてもよいが、普通の圧力値を設定できるようにし、ユーザが携帯電子機器１０（の圧力センサ３４ａ、３４ｂ部分を持って）を普通の力で握った場合の圧力値を検出し、検出した圧力値を普通の圧力値として設定するようにすることが好ましい。これにより、ユーザによって握る力が異なる場合でも、適切な基準の圧力値を設定することができる。なお、基準の圧力値を設定する場合は、基準の圧力値を基準に各レンジの圧力値の境界を設定すればよい。また、各境界となる圧力値も、検出した圧力値を用いてもよい。つまり、やや強い圧力としてユーザが握った圧力値をやや強い圧力の基準とするようにしてもよい。
【００７５】
また、上記実施形態では、レンジを５つに分けたがレンジの数は特に限定されず、３つに分けても６つに分けても１０個以上のレンジに分けてもよい。また、上記実施形態では、設定パターンを年齢により分けたが、本発明はこれに限定されず、ユーザの設定により設定パターンを選択できるようにすればよい。また、ユーザの利便性は低下するが、予め決められた１つの設定パターンのみとしてもよい。
【００７６】
次に、ステップＳ２２で利用する年齢情報の設定方法の一例について説明する。ここで、図９は、年齢を設定する方法の一例を示すフロー図であり、図１０は、年齢を設定する画面の一例を示す模式図である。なお、図９に示す設定方法は、ユーザの操作により設定される方法である。まず、ステップＳ１００として、プロフィール設定画面を開く。ここで、プロフィール設定画面とは、図１０に示すような年齢、名前、趣味等を入力する画面である。次に、ユーザは、ステップＳ１００でプロフィール設定画面を開いたら、ステップＳ１０２として年齢項目に年齢を入力する。その後、ユーザは、ステップＳ１０４としてＯＫボタンを選択し、設定を終了する。このように、ユーザにより入力された年齢情報を用いることで、年齢情報に応じた設定パターンを選択できるようにすることができる。なお、本発明においては、年齢を入力する項目のみがあればよいので、プロフィール設定とは別に、年齢情報のみを入力するようにしてもよい。
【００７７】
また、上記実施形態では、ユーザが年齢を入力する設定としたが、携帯電子機器１０が撮影部を有し、この撮影部でユーザを撮影し、撮影した画像に基づいてユーザの年齢を判定し、判定結果を年齢情報として設定するようにしてもよい。以下、図１１を用いて、設定方法を説明する。図１１は、年齢を設定する方法の他の一例を示すフロー図である。まず、ＣＰＵ２２は、ステップＳ１１０として、ユーザを撮影する。ここで、ユーザの撮影は、ユーザがシャッタを押したタイミングで撮影するようにしても、画像処理により、撮影領域内にユーザ（人間）が入っていることを検出したら撮影するようにしてもよい。
【００７８】
ＣＰＵ２２は、ステップＳ１１０で撮影画像を取得したら、ステップＳ１１２として撮影した画像を元にユーザの年齢を判定する。ここで、画像に基づく年齢判定は、従来公知の手段を用いることができる。例えば、画像処理により顔のしわ、顔のたるみ等を検出し、その結果から年齢を判定する。ＣＰＵ２２は、ステップＳ１１２で年齢を判定したら、ステップＳ１１４として、判定結果を年齢情報として記録し処理を終了する。このように、画像判定により年齢情報を検出してもよい。
【００７９】
ここで、上記実施形態では、ユーザの利き手によらず圧力を検出でき、また、より多くの持ち方に対応できるため、２つの圧力センサを第２筐体１ＣＢの対向する２つの側面に設けたが、本発明はこれに限定されず、１つの圧力センサを一方の側面のみに設けた構成としてもよい。なお、圧力センサは、本実施形態のように、ユーザが携帯電子機器を保持する際に接触する部分に設けることが好ましい。これにより、ユーザは、普通に携帯電子機器を持っている時に、携帯電子機器を握る圧力を変えるのみで、再生速度を変化させることができる。
【００８０】
また、上記実施形態では、圧力センサを用いたが、ユーザにより大きさを変化させることができる外力を検出する検出手段であればよく、例えば、加速度を検出する加速度センサを用いることができる。
【００８１】
また、上記実施形態では、文字データを音声データに変換し、音声で読み上げる場合の再生速度の場合として説明したが、本発明はこれに限定されず、メモリに記憶させた音声データ、例えば音楽や英単語の発音の音声データを再生する場合にも使用することができる。また、本発明は、通話時の音声の再生速度を変更する場合にも用いることができる。つまり、通話時に通信部２６が受信した音声の情報をＣＰＵ２２で音声データ生成アプリケーションプログラムを用いて、音声処理部３０で音声に変換できる音声データへと変換する際に、音声出力条件設定アプリケーションプログラムで設定された音声出力条件で、再生するように再生速度を変更するようにしてもよい。これにより、通話相手が早口で会話する場合も会話内容を聞き取りやすくすることができる。なお、この場合、音声の再生速度と実際の会話とのタイムラグが発生するが、再生速度をより遅くした場合は、通常速度に戻した場合に一定時間分の音声を削除するようにすればよく、再生速度をより速くした場合は、再生前に一定時間分の音声データを出力せずに貯めるようにすればよい。
【００８２】
また、上記実施形態では、いずれも音声出力条件として圧力値に応じて再生速度を多段階に設定するようにしたが、本発明はこれに限定されず、音声出力に関する種々の条件を設定するようにしてもよい。例えば、圧力値に応じて音声の大きさ、つまり音量を多段階に設定するようにしてもよい。具体的には、圧力値が高くなるにしたがって音量が大きくなるようにし、圧力値が小さくなるにしたがって音量が小さくなるようにしてもよい。また、音声の高さ（つまり、声の高さ）を変更するようにしてもよい。
【００８３】
なお、上記実施形態では、説明のためにアプリケーションプログラムを別々のプログラムとしたが、プログラムは１つのプログラムで処理してもよい。また、メモリ２４についても同様であり、各タスクを設けるとしたが、データとして分割されているものであり、メモリは目視上１つの記憶装置である。また、画像フォルダは複数あってもよく、また待ち受け画像フォルダは、フォルダで形式ではなく、待ち受け画像として利用される画像ファイルの名前と紐付けデータを記載したテーブルとしてもよい。
【産業上の利用可能性】
【００８４】
以上のように、本発明にかかる携帯電子機器および音声出力調整方法は、音声を再生する場合に有用であり、特に、音声が聞き取りにくい部分や、音声を早送りしたい部分がある音声を利用者の要望にあわせた再生速度で再生させることに適している。
【符号の説明】
【００８５】
１Ｃ  筐体
５  マイク
６  スピーカ
１０  携帯電子機器
２２  ＣＰＵ
２４  メモリ
２６  通信部
２８  操作部
３０  音声処理部
３２  表示部
３４ａ、３４ｂ  圧力センサ
４０  圧力検出タスク
４２  音声出力条件設定タスク
４４  音声データ生成タスク
【図１】
2010177774.tif 000003
【図２】
2010177774.tif 000004
【図３】
2010177774.tif 000005
【図４】
2010177774.tif 000006
【図５】
2010177774.tif 000007
【図６】
2010177774.tif 000008
【図７】
2010177774.tif 000009
【図８】
2010177774.tif 000010
【図９】
2010177774.tif 000011
【図１０】
2010177774.tif 000012
【図１１】
2010177774.tif 000013